(57)【要約】  ワイヤレス通信のための方法、システム、およびデバイスが説明される。基地局が、ＰＢＣＨをスクランブルする際に使用するためのシーケンスを生成し得る。基地局は、次いで、ＳＳブロックグループ中のＳＳブロックの数に基づいてシーケンスをサブシーケンスに区分し得る。基地局は、次いで、ＳＳブロックグループ内の異なるＳＳブロックのＰＢＣＨに関連するビットのためのスクランブリングコードとしてシーケンスの各サブシーケンスを適用し、サブシーケンスのうちの１つを用いてスクランブルされた少なくとも１つのＳＳブロックを送信し得る。ユーザ機器が、シーケンスに基づいてＰＢＣＨを復号し得る。
2020533885.tif 000002
【特許請求の範囲】
【請求項１】
ブロードキャストチャネルをスクランブルするための方法であって、前記方法が、
ＰＢＣＨをスクランブルする際に使用するためのシーケンスを生成することと、
ＳＳブロックグループ中のＳＳブロックの数に基づいて前記シーケンスをサブシーケンスに区分することと、
ＳＳブロックグループ内の異なるＳＳブロックの前記ＰＢＣＨに関連する前記ビットのためのスクランブリングコードとして前記シーケンスの各サブシーケンスを適用することと、
前記サブシーケンスのうちの１つを用いてスクランブルされた少なくとも１つのＳＳブロックを送信することと
を備える、方法。
【請求項２】
前記シーケンスが、基地局の物理セル識別情報（ＩＤ）に基づいて生成される擬似雑音（ＰＮ）シーケンスである、請求項１に記載の方法。
【請求項３】
前記ＰＮシーケンスは、前記ＰＮシーケンスの長さがＳＳブロックの前記数とコード化ＰＢＣＨビットの数との積になるように生成される、請求項２に記載の方法。
【請求項４】
前記シーケンスを生成することが、
同期信号（ＳＳ）バーストセットの各ＳＳブロックグループ中のＳＳブロックの数を決定することと、
各ＳＳブロック中の前記ＰＢＣＨに関連するビットの数を決定することと、
ＳＳブロックの前記数とビットの前記数とに基づいて前記シーケンスを生成することと
を備える、請求項１に記載の方法。
【請求項５】
前記シーケンスが、基地局の物理セル識別情報（ＩＤ）とシステムフレーム番号（ＳＦＮ）ビットの部分とに基づいて生成される、請求項４に記載の方法。
【請求項６】
前記ＰＢＣＨに関連する前記ビットが、ＳＳブロック中でスクランブルされるべき前記ＰＢＣＨのペイロードのビットを備える、請求項４に記載の方法。
【請求項７】
前記シーケンスは、前記シーケンスの長さがＳＳブロックの前記数とスクランブルされるべきＰＢＣＨビットの前記数との積になるように生成される、請求項６に記載の方法。
【請求項８】
特定のＳＳブロックに適用される特定のサブシーケンスが、前記ＳＳブロックグループ内の前記特定のＳＳブロックに固有である、請求項１に記載の方法。
【請求項９】
特定のＳＳブロックに適用される特定のサブシーケンスが、ＳＳバーストセットの別のＳＳブロックグループ中の対応するＳＳブロックに適用される同じサブシーケンスである、請求項１に記載の方法。
【請求項１０】
前記少なくとも１つのＳＳブロックのＳＳブロックインデックスのある数の最下位ビットが、前記少なくとも１つのＳＳブロックの復調基準信号（ＤＭＲＳ）信号中に含まれる、請求項１に記載の方法。
【請求項１１】
前記ＳＳブロックインデックスの残りのビットが、前記少なくとも１つのＳＳブロックのＰＢＣＨのペイロード中に含まれる、請求項１０に記載の方法。
【請求項１２】
前記シーケンスの各サブシーケンスが、前記ＤＭＲＳ信号中に含まれる前記ＳＳブロックインデックスの前記数の最下位ビットのうちの異なるものに対応する、請求項１０に記載の方法。
【請求項１３】
前記ＳＳブロックインデックスの最下位ビットの前記数が、前記２つの最下位ビットまたは前記３つの最下位ビットを備える、請求項１０に記載の方法。
【請求項１４】
ブロードキャストチャネルをスクランブルするための装置であって、
プロセッサと、
前記プロセッサと電子通信しているメモリと、
前記メモリに記憶された命令とを備え、前記命令が、前記プロセッサによって実行されたとき、前記装置に、
ＰＢＣＨをスクランブルする際に使用するためのシーケンスを生成することと、
ＳＳブロックグループ中のＳＳブロックの数に基づいて前記シーケンスをサブシーケンスに区分することと、
ＳＳブロックグループ内の異なるＳＳブロックの前記ＰＢＣＨに関連する前記ビットのためのスクランブリングコードとして前記シーケンスの各サブシーケンスを適用することと、
前記サブシーケンスのうちの１つを用いてスクランブルされた少なくとも１つのＳＳブロックを送信することと
を行わせるように動作可能である、装置。
【請求項１５】
前記シーケンスが、基地局の物理セル識別情報（ＩＤ）に基づいて生成される擬似雑音（ＰＮ）シーケンスである、請求項１４に記載の装置。
【請求項１６】
前記ＰＮシーケンスは、前記ＰＮシーケンスの長さがＳＳブロックの前記数とコード化ＰＢＣＨビットの数との積になるように生成される、請求項１４に記載の装置。
【請求項１７】
前記シーケンスを生成することが、
同期信号（ＳＳ）バーストセットの各ＳＳブロックグループ中のＳＳブロックの数を決定することと、
各ＳＳブロック中の前記ＰＢＣＨに関連するビットの数を決定することと、
ＳＳブロックの前記数とビットの前記数とに基づいて前記シーケンスを生成することと
を備える、請求項１４に記載の装置。
【請求項１８】
前記シーケンスが、基地局の物理セル識別情報（ＩＤ）とシステムフレーム番号（ＳＦＮ）ビットの部分とに基づいて生成される、請求項１７に記載の装置。
【請求項１９】
前記ＰＢＣＨに関連する前記ビットが、ＳＳブロック中でスクランブルされるべき前記ＰＢＣＨのペイロードのビットを備える、請求項１８に記載の装置。
【請求項２０】
前記シーケンスは、前記シーケンスの長さがＳＳブロックの前記数とスクランブルされるべきＰＢＣＨビットの前記数との積になるように生成される、請求項１９に記載の装置。
【請求項２１】
特定のＳＳブロックに適用される特定のサブシーケンスが、前記ＳＳブロックグループ内の前記特定のＳＳブロックに固有である、請求項１４に記載の装置。
【請求項２２】
特定のＳＳブロックに適用される特定のサブシーケンスが、ＳＳバーストセットの別のＳＳブロックグループ中の対応するＳＳブロックに適用される同じサブシーケンスである、請求項１４に記載の装置。
【請求項２３】
前記少なくとも１つのＳＳブロックのＳＳブロックインデックスのある数の最下位ビットが、前記少なくとも１つのＳＳブロックの復調基準信号（ＤＭＲＳ）信号中に含まれる、請求項１４に記載の装置。
【請求項２４】
前記ＳＳブロックインデックスの残りのビットが、前記少なくとも１つのＳＳブロックのＰＢＣＨのペイロード中に含まれる、請求項２３に記載の装置。
【請求項２５】
前記シーケンスの各サブシーケンスが、前記ＤＭＲＳ信号中に含まれる前記ＳＳブロックインデックスの前記数の最下位ビットのうちの異なるものに対応する、請求項２３に記載の装置。
【請求項２６】
前記ＳＳブロックインデックスの最下位ビットの前記数が、前記２つの最下位ビットまたは前記３つの最下位ビットを備える、請求項２３に記載の装置。
【請求項２７】
ワイヤレス通信のための方法であって、前記方法が、
同期信号（ＳＳ）ブロックに関連する復調基準信号（ＤＭＲＳ）を受信することと、
前記ＤＭＲＳから前記ＳＳブロックのインデックスの部分を識別することと、
前記インデックスの前記部分に基づいて、前記ＳＳブロックをスクランブルするために使用されるシーケンスを決定することと、
前記シーケンスに基づいて前記ＳＳブロックの物理ブロードキャストチャネル（ＰＢＣＨ）を復号することと
を備える、方法。
【請求項２８】
前記インデックスの前記部分が、前記インデックスのある数の最下位ビットを備える、請求項２７に記載の方法。
【請求項２９】
前記ＰＢＣＨを前記復号することが、ブラインド復号なしに実施される、請求項２７に記載の方法。
【請求項３０】
前記シーケンスが、擬似雑音（ＰＮ）シーケンスのサブシーケンスを備える、請求項２７に記載の方法。
【請求項３１】
ＳＳブロックグループ内の異なるＳＳブロックの前記ＰＢＣＨを復号するための異なるシーケンスを決定することをさらに備える、請求項２７に記載の方法。
【請求項３２】
異なるＳＳブロックグループ内の対応するＳＳブロックの前記ＰＢＣＨを復号するための前記シーケンスを決定することをさらに備える、請求項２７に記載の方法。
【請求項３３】
ワイヤレス通信のための装置であって、前記装置が、
プロセッサと、
前記プロセッサと電子通信しているメモリと、
前記メモリに記憶された命令とを備え、前記命令が、前記プロセッサによって実行されたとき、前記装置に、
同期信号（ＳＳ）ブロックに関連する復調基準信号（ＤＭＲＳ）を受信することと、
前記ＤＭＲＳから前記ＳＳブロックのインデックスの部分を識別することと、
前記インデックスの前記部分に基づいて、前記ＳＳブロックをスクランブルするために使用されるシーケンスを決定することと、
前記シーケンスに基づいて前記ＳＳブロックの物理ブロードキャストチャネル（ＰＢＣＨ）を復号することと
を行わせるように動作可能である、装置。
【請求項３４】
前記インデックスの前記部分が、前記インデックスのある数の最下位ビットを備える、請求項３３に記載の装置。
【請求項３５】
前記ＰＢＣＨを前記復号することが、ブラインド復号なしに実施される、請求項３３に記載の装置。
【請求項３６】
前記シーケンスが、擬似雑音（ＰＮ）シーケンスのサブシーケンスを備える、請求項３３に記載の装置。
【請求項３７】
前記命令が、前記装置に、ＳＳブロックグループ内の異なるＳＳブロックの前記ＰＢＣＨを復号するための異なるシーケンスを決定させるようにさらに動作可能である、請求項３３に記載の装置。
【請求項３８】
前記命令が、前記装置に、異なるＳＳブロックグループ内の対応するＳＳブロックの前記ＰＢＣＨを復号するための前記シーケンスを決定させるようにさらに動作可能である、請求項３３に記載の装置。
【請求項３９】
ブロードキャストチャネルをスクランブルするための装置であって、前記装置が、
ＰＢＣＨをスクランブルする際に使用するためのシーケンスを生成するための手段と、
ＳＳブロックグループ中のＳＳブロックの数に基づいて前記シーケンスをサブシーケンスに区分するための手段と、
ＳＳブロックグループ内の異なるＳＳブロックの前記ＰＢＣＨに関連する前記ビットのためのスクランブリングコードとして前記シーケンスの各サブシーケンスを適用するための手段と、
前記サブシーケンスのうちの１つを用いてスクランブルされた少なくとも１つのＳＳブロックを送信するための手段と
を備える、装置。
【請求項４０】
前記シーケンスが、基地局の物理セル識別情報（ＩＤ）に基づいて生成される擬似雑音（ＰＮ）シーケンスである、請求項３９に記載の装置。
【請求項４１】
前記ＰＮシーケンスは、前記ＰＮシーケンスの長さがＳＳブロックの前記数とコード化ＰＢＣＨビットの数との積になるように生成される、請求項４０に記載の装置。
【請求項４２】
前記シーケンスを生成するための前記手段が、
同期信号（ＳＳ）バーストセットの各ＳＳブロックグループ中のＳＳブロックの数を決定するための手段と、
各ＳＳブロック中の前記ＰＢＣＨに関連するビットの数を決定するための手段と、
ＳＳブロックの前記数とビットの前記数とに基づいて前記シーケンスを生成するための手段と
をさらに備える、請求項３９に記載の装置。
【請求項４３】
前記シーケンスが、基地局の物理セル識別情報（ＩＤ）とシステムフレーム番号（ＳＦＮ）ビットの部分とに基づいて生成される、請求項４２に記載の装置。
【請求項４４】
前記ＰＢＣＨに関連する前記ビットが、ＳＳブロック中でスクランブルされるべき前記ＰＢＣＨのペイロードのビットを備える、請求項４２に記載の装置。
【請求項４５】
前記シーケンスは、前記シーケンスの長さがＳＳブロックの前記数とスクランブルされるべきＰＢＣＨビットの前記数との積になるように生成される、請求項４４に記載の装置。
【請求項４６】
特定のＳＳブロックに適用される特定のサブシーケンスが、前記ＳＳブロックグループ内の前記特定のＳＳブロックに固有である、請求項３９に記載の装置。
【請求項４７】
特定のＳＳブロックに適用される特定のサブシーケンスが、ＳＳバーストセットの別のＳＳブロックグループ中の対応するＳＳブロックに適用される同じサブシーケンスである、請求項３９に記載の装置。
【請求項４８】
前記少なくとも１つのＳＳブロックのＳＳブロックインデックスのある数の最下位ビットが、前記少なくとも１つのＳＳブロックの復調基準信号（ＤＭＲＳ）信号中に含まれる、請求項３９に記載の装置。
【請求項４９】
前記ＳＳブロックインデックスの残りのビットが、前記少なくとも１つのＳＳブロックのＰＢＣＨのペイロード中に含まれる、請求項４８に記載の装置。
【請求項５０】
前記シーケンスの各サブシーケンスが、前記ＤＭＲＳ信号中に含まれる前記ＳＳブロックインデックスの前記数の最下位ビットのうちの異なるものに対応する、請求項４８に記載の装置。
【請求項５１】
前記ＳＳブロックインデックスの最下位ビットの前記数が、前記２つの最下位ビットまたは前記３つの最下位ビットを備える、請求項４８に記載の装置。
【請求項５２】
ワイヤレス通信のための装置であって、前記装置が、
同期信号（ＳＳ）ブロックに関連する復調基準信号（ＤＭＲＳ）を受信するための手段と、
前記ＤＭＲＳから前記ＳＳブロックのインデックスの部分を識別するための手段と、
前記インデックスの前記部分に基づいて、前記ＳＳブロックをスクランブルするために使用されるシーケンスを決定するための手段と、
前記シーケンスに基づいて前記ＳＳブロックの物理ブロードキャストチャネル（ＰＢＣＨ）を復号するための手段と
を備える、装置。
【請求項５３】
前記インデックスの前記部分が、前記インデックスのある数の最下位ビットを備える、請求項５２に記載の装置。
【請求項５４】
前記ＰＢＣＨを前記復号することが、ブラインド復号なしに実施される、請求項５２に記載の装置。
【請求項５５】
前記シーケンスが、擬似雑音（ＰＮ）シーケンスのサブシーケンスを備える、請求項５２に記載の装置。
【請求項５６】
ＳＳブロックグループ内の異なるＳＳブロックの前記ＰＢＣＨを復号するための異なるシーケンスを決定するための手段をさらに備える、請求項５２に記載の装置。
【請求項５７】
異なるＳＳブロックグループ内の対応するＳＳブロックの前記ＰＢＣＨを復号するための前記シーケンスを決定するための手段をさらに備える、請求項５２に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１７年９月１１日に出願された「PBCH SCRAMBLING DESIGN」と題する仮出願第６２／５５６，９０５号、および２０１８年９月４日に出願された「PBCH SCRAMBLING DESIGN」と題する非仮出願第１６／１２１，５３４号の優先権を主張する。
【０００２】
[0001]本開示の態様は、一般に、ワイヤレス通信システムに、およびブロードキャストチャネルスクランブリング設計に関する。
【背景技術】
【０００３】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0003]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0004]基地局が、ＰＢＣＨをスクランブルする際に使用するためのシーケンスを生成し得る。基地局は、次いで、ＳＳブロックグループ中のＳＳブロックの数に基づいてシーケンスをサブシーケンスに区分し得る。基地局は、次いで、ＳＳブロックグループ内の異なるＳＳブロックのＰＢＣＨに関連するビットのためのスクランブリングコードとしてシーケンスの各サブシーケンスを適用し、サブシーケンスのうちの１つを用いてスクランブルされた少なくとも１つのＳＳブロックを送信し得る。ユーザ機器が、シーケンスに基づいてＰＢＣＨを復号し得る。
【０００６】
[0005]ブロードキャストチャネルをスクランブルするための方法が説明される。本方法は、ＰＢＣＨをスクランブルする際に使用するためのシーケンスを生成することと、ＳＳブロックグループ中のＳＳブロックの数に基づいてシーケンスをサブシーケンスに区分することと、ＳＳブロックグループ内の異なるＳＳブロックのＰＢＣＨに関連するビットのためのスクランブリングコードとしてシーケンスの各サブシーケンスを適用することと、サブシーケンスのうちの１つを用いてスクランブルされた少なくとも１つのＳＳブロックを送信することとを含み得る。
【０００７】
[0006]ブロードキャストチャネルをスクランブルするための装置が説明される。本装置は、プロセッサと、プロセッサと電子通信しているメモリと、メモリに記憶された命令とを含み得、命令が、プロセッサによって実行されたとき、装置に、ＰＢＣＨをスクランブルする際に使用するためのシーケンスを生成することと、ＳＳブロックグループ中のＳＳブロックの数に基づいてシーケンスをサブシーケンスに区分することと、ＳＳブロックグループ内の異なるＳＳブロックのＰＢＣＨに関連するビットのためのスクランブリングコードとしてシーケンスの各サブシーケンスを適用することと、サブシーケンスのうちの１つを用いてスクランブルされた少なくとも１つのＳＳブロックを送信することとを行わせるように動作可能である。
【０００８】
[0007]ワイヤレス通信のためのコードを記憶する非一時的コンピュータ可読媒体が説明される。コードは、ＰＢＣＨをスクランブルする際に使用するためのシーケンスを生成することと、ＳＳブロックグループ中のＳＳブロックの数に基づいてシーケンスをサブシーケンスに区分することと、ＳＳブロックグループ内の異なるＳＳブロックのＰＢＣＨに関連するビットのためのスクランブリングコードとしてシーケンスの各サブシーケンスを適用することと、サブシーケンスのうちの１つを用いてスクランブルされた少なくとも１つのＳＳブロックを送信することとを行うために実行可能な命令を含み得る。
【０００９】
[0008]ワイヤレス通信のための装置が説明される。本装置は、ＰＢＣＨをスクランブルする際に使用するためのシーケンスを生成するための手段と、ＳＳブロックグループ中のＳＳブロックの数に基づいてシーケンスをサブシーケンスに区分するための手段と、ＳＳブロックグループ内の異なるＳＳブロックのＰＢＣＨに関連するビットのためのスクランブリングコードとしてシーケンスの各サブシーケンスを適用するための手段と、サブシーケンスのうちの１つを用いてスクランブルされた少なくとも１つのＳＳブロックを送信するための手段とを含み得る。
【００１０】
[0009]本明細書で説明される方法、装置、または非一時的コンピュータ可読媒体のいくつかの例では、シーケンスは、基地局の物理セル識別情報（ＩＤ）に基づいて生成される擬似雑音（ＰＮ）シーケンスである。いくつかの場合には、ＰＮシーケンスは、ＰＮシーケンスの長さがＳＳブロックの数とコード化ＰＢＣＨビットの数との積になるように生成される。本明細書で説明される方法、装置、または非一時的コンピュータ可読媒体のいくつかの例は、同期信号（ＳＳ）バーストセットの各ＳＳブロックグループ中のＳＳブロックの数を決定することと、各ＳＳブロック中のＰＢＣＨに関連するビットの数を決定することと、ＳＳブロックの数とビットの数とに基づいてシーケンスを生成することとを行うためのプロセス、特徴、手段、または命令をさらに含み得る。いくつかの場合には、シーケンスは、基地局の物理セル識別情報（ＩＤ）とシステムフレーム番号（ＳＦＮ）ビットの部分とに基づいて生成される。いくつかの場合には、ＰＢＣＨに関連するビットは、ＳＳブロック中でスクランブルされるべきＰＢＣＨペイロードのビットを備える。いくつかの場合には、シーケンスは、シーケンスの長さがＳＳブロックの数とスクランブルされるべきＰＢＣＨビットの数との積になるように生成される。
【００１１】
[0010]いくつかの場合には、特定のＳＳブロックに適用される特定のサブシーケンスは、ＳＳブロックグループ内の特定のＳＳブロックに固有である。いくつかの場合には、特定のＳＳブロックに適用される特定のサブシーケンスは、ＳＳバーストセットの別のＳＳブロックグループ中の対応するＳＳブロックに適用される同じサブシーケンスである。いくつかの場合には、少なくとも１つのＳＳブロックのＳＳブロックインデックスのある数の最下位ビットが、少なくとも１つのＳＳブロックの復調基準信号（ＤＭＲＳ）信号中に含まれる。いくつかの場合には、ＳＳブロックインデックスの残りのビットが、少なくとも１つのＳＳブロックのＰＢＣＨのペイロード中に含まれる。いくつかの場合には、シーケンスの各サブシーケンスは、ＤＭＲＳ信号中に含まれるＳＳブロックインデックスの上記数の最下位ビットのうちの異なるものに対応する。いくつかの場合には、ＳＳブロックインデックスの最下位ビットの上記数は、２つの最下位ビットまたは３つの最下位ビットを備える。
【００１２】
[0011]ブロードキャストチャネルをスクランブルするための方法が説明される。本方法は、物理ブロードキャストチャネル（ＰＢＣＨ）に関連するビットの数に基づく長さをもつシーケンスを生成することと、そのシーケンスを同期信号（ＳＳ）バーストセット内の各ＳＳブロックのＰＢＣＨにスクランブリングコードとして適用することと、そのシーケンスを用いてスクランブルされた少なくとも１つのＳＳブロックをもつＳＳバーストセットを送信することとを含み得る。
【００１３】
[0012]本明細書で説明される方法、装置、または非一時的コンピュータ可読媒体のいくつかの例では、ビットの数は、少なくとも１つのＳＳブロック内のコード化ＰＢＣＨビットの数である。いくつかの場合には、シーケンスは、コード化ＰＢＣＨビットにスクランブリングコードとして適用される。いくつかの場合には、ビットの数は、少なくとも１つのＳＳブロック中でスクランブルされるべきＰＢＣＨビットの数である。いくつかの場合には、シーケンスは、スクランブルされるべきＰＢＣＨビットにスクランブリングコードとして適用される。本明細書で説明される方法、装置、または非一時的コンピュータ可読媒体のいくつかの例は、シーケンスを同じブロードキャストチャネル（ＢＣＨ）送信時間間隔（ＴＴＩ）内で第２のＳＳバーストセット内の各ＳＳブロックのＰＢＣＨにスクランブリングコードとして適用するためのプロセス、特徴、手段、または命令をさらに含み得る。いくつかの場合には、シーケンスを生成することは、システムフレーム番号の３つの最下位ビットに基づいてシーケンスを初期化することを含む。本明細書で説明される方法、装置、または非一時的コンピュータ可読媒体のいくつかの例は、異なるシーケンスを同じブロードキャストチャネル（ＢＣＨ）送信時間間隔（ＴＴＩ）内で第２のＳＳバーストセット内の各ＳＳブロックのＰＢＣＨにスクランブリングコードとして適用するためのプロセス、特徴、手段、または命令をさらに含み得る。
【００１４】
[0013]ワイヤレス通信のための方法が説明される。本方法は、同期信号（ＳＳ）ブロックに関連する復調基準信号（ＤＭＲＳ）を受信することと、ＤＭＲＳからＳＳブロックのインデックスの部分を識別することと、インデックスの部分に基づいて、ＳＳブロックをスクランブルするために使用されるシーケンスを決定することと、シーケンスに基づいてＳＳブロックの物理ブロードキャストチャネル（ＰＢＣＨ）を復号することとを備え得る。
【００１５】
[0014]ワイヤレス通信のための装置が説明される。本装置は、プロセッサと、プロセッサと電子通信しているメモリと、メモリに記憶された命令とを含み得、命令が、プロセッサによって実行されたとき、装置に、同期信号（ＳＳ）ブロックに関連する復調基準信号（ＤＭＲＳ）を受信することと、ＤＭＲＳからＳＳブロックのインデックスの部分を識別することと、インデックスの部分に基づいて、ＳＳブロックをスクランブルするために使用されるシーケンスを決定することと、シーケンスに基づいてＳＳブロックの物理ブロードキャストチャネル（ＰＢＣＨ）を復号することとを行わせるように動作可能である。
【００１６】
[0015]ワイヤレス通信のためのコードを記憶する非一時的コンピュータ可読媒体が説明される。コードは、同期信号（ＳＳ）ブロックに関連する復調基準信号（ＤＭＲＳ）を受信することと、ＤＭＲＳからＳＳブロックのインデックスの部分を識別することと、インデックスの部分に基づいて、ＳＳブロックをスクランブルするために使用されるシーケンスを決定することと、シーケンスに基づいてＳＳブロックの物理ブロードキャストチャネル（ＰＢＣＨ）を復号することとを行うために実行可能な命令を含み得る。
【００１７】
[0016]ワイヤレス通信のための装置が説明される。本装置は、同期信号（ＳＳ）ブロックに関連する復調基準信号（ＤＭＲＳ）を受信するための手段と、ＤＭＲＳからＳＳブロックのインデックスの部分を識別するための手段と、インデックスの部分に基づいて、ＳＳブロックをスクランブルするために使用されるシーケンスを決定するための手段と、シーケンスに基づいてＳＳブロックの物理ブロードキャストチャネル（ＰＢＣＨ）を復号するための手段とを含み得る。
【００１８】
[0017]本明細書で説明される方法、装置、または非一時的コンピュータ可読媒体のいくつかの例では、インデックスの部分は、インデックスのある数の最下位ビットを備える。いくつかの場合には、ＰＢＣＨを復号することは、ブラインド復号なしに実施される。いくつかの場合には、シーケンスは、擬似雑音（ＰＮ）シーケンスのサブシーケンスを備える。本明細書で説明される方法、装置、または非一時的コンピュータ可読媒体のいくつかの例は、ＳＳブロックグループ内の異なるＳＳブロックのＰＢＣＨを復号するための異なるシーケンスを決定するか、または異なるＳＳブロックグループ内の対応するＳＳブロックのＰＢＣＨを復号するためのシーケンスを決定するためのプロセス、特徴、手段、または命令をさらに含み得る。
【００１９】
[0018]上記は、以下の発明を実施するための形態がより良く理解され得るように、本開示による例の特徴および技術的利点についてかなり広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のために提供され、特許請求の範囲の限定の定義として提供されるものではない。
【００２０】
[0019]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２１】
【図１】[0020]ワイヤレス通信システムの詳細を示すブロック図。
【図２】[0021]本開示の一態様に従って構成された基地局／ｅＮＢおよびＵＥの設計を示すブロック図。
【図３】[0022]ＳＳブロックの例示的な構造を示す図。
【図４】[0023]ＳＳブロック送信機会のパターンの例示的な構成を示す図。
【図５】[0024]ＳＳブロックグループの例示的なシーケンスを示す図。
【図６】[0025]ＰＢＣＨビットをスクランブルするための例示的なプロセスを示す図。
【図７】[0026]本開示の態様による、スクランブリング技法をサポートするシステムにおける例示的なプロセスフローを示す図。
【図８】[0027]本開示の態様による、スクランブリングシーケンスを生成するための方法を示す図。
【図９】[0028]本開示の態様による、スクランブリングシーケンスを生成するための方法を示す図。
【図１０】[0029]本開示の態様による、スクランブリングシーケンスをデスクランブルするための方法を示す図。
【図１１】[0030]本開示の態様による、スクランブリングシーケンスを生成するための方法を示す図。
【発明を実施するための形態】
【００２２】
[0031]ワイヤレスセルラー通信システムにおけるセル探索プロシージャは、デバイスがセルおよび同期情報を収集することを可能にする。セル探索プロシージャは、各セル中のいくつかの物理的信号のブロードキャスティングを伴い得る。いくつかの事例では、基地局が、セル探索および収集を容易にするために１次同期信号（ＰＳＳ）および２次同期信号（ＳＳＳ）を送信する。ユーザ機器（ＵＥ）によるＰＳＳおよびＳＳＳの検出および処理は、時間および周波数同期を可能にし、ならびに、他の初期アクセス情報に加えて、セルの物理レイヤ識別情報をＵＥに提供し得る。
【００２３】
[0032]新しい無線（ＮＲ）構成など、いくつかの構成では、基地局が、物理ブロードキャストチャネル（ＰＢＣＨ）と多重化されたＰＳＳおよびＳＳＳを備える同期信号（ＳＳ）ブロックを送信し得る。いくつかの事例では、ＰＢＣＨは、復調基準信号（ＤＭＲＳ）信号など、基準信号を含み得る。ＳＳブロックは、いくつかの場合には、それが同期信号とＰＢＣＨの両方を備えるので、ＳＳ／ＰＢＣＨブロックと呼ばれることもある。基地局はＳＳブロックバーストを送信し得、ＳＳブロックバーストは、異なるロケーション中のＵＥに同期信号を送信するカバレージ拡張またはビーム掃引プロシージャを容易にするために、特定の時間フレーム内の複数のおよび繰返しのＳＳブロック送信を備える。
【００２４】
[0033]そのいくつかのＳＳブロック送信が送られる時間フレームは、発見基準信号（ＤＲＳ）測定タイミング構成（ＤＭＴＣ）ウィンドウであり得る。ＤＭＴＣウィンドウは、セルを識別するかまたはセルにアタッチするのに有用な同期信号、セル固有基準信号、マスタ情報ブロック（ＭＩＢ）および他のシグナリングを含む、セルについてのＤＲＳをＵＥが測定し得る時間フレームであり得る。
【００２５】
[0034]いくつかの事例では、ＤＭＴＣウィンドウ内のＳＳブロック送信の数は、基地局が動作するシステムまたは周波数帯域によって使用されるサブキャリア間隔などのファクタに基づいて限定され得る。たとえば、現在のＮＲ（５Ｇ新しい無線）合意では、システムが３ＧＨｚを下回る周波数帯域において動作する場合、基地局は、５ｍｓ時間フレーム内の最大４つのＳＳブロック送信に限定され得る。別の例では、システムが３ＧＨｚから６ＧＨｚの間の周波数帯域において動作する場合、基地局は、５ｍｓ時間フレーム内の最大８つのＳＳブロック送信に限定され得る。また別の例では、システムが６ＧＨｚを上回る周波数帯域において動作する場合、基地局は、５ｍｓ時間フレーム内の最大６４個のＳＳブロック送信に限定され得る。ＳＳバーストセット内のＳＳブロックは各々、ＳＳバーストセット内の他のＳＳブロックと弁別するためにインデックスに関連付けられ得る。インデックスは、ＵＥが、測定ウィンドウまたは他の基準ポイントに対して、受信されたＳＳブロックのタイミングを決定することを可能にし得る。
【００２６】
[0035]セルラー通信では、１つのセル中のワイヤレスデバイスは、他のセルからの信号からの干渉を経験し得る。送信機からの信号ならびに他の送信機からの信号を受信する受信機は、合成信号を適切に復号することができないことがある。特定のスクランブリングコードを使用するワイヤレス信号のスクランブリングは、受信機が、信号をデスクランブルし、対象とする信号を干渉信号と弁別することを可能にし得る。信号のために使用される特定のスクランブリングシーケンスについての知識なしに、受信機は、信号を復号するためにブラインド復号を実施し得る。
【００２７】
[0036]しかしながら、ブラインド復号は、受信機における追加の動作を必要とし、また、無関係の電力使用を生じ得る。ブラインド復号なしの信号の復号を可能にするスクランブリングコード設計が、受信機におけるより効率的な動作を生じ得る。たとえば、第１のスクランブリングコードがＳＳブロック中のＰＢＣＨのいくつかのビットに適用され得るが、ＰＢＣＨのいくつかのビットは第１のスクランブリングコードを用いてスクランブルされない。したがって、第２のスクランブリングコードから復号するためにＵＥがＰＢＣＨのブラインド復号を実施することを必要とすることなしにすべてのＰＢＣＨビットをスクランブルする第２のスクランブリングコードが設計され得る。いくつかの事例では、特定のＳＳブロックのインデックスの部分が、そのＳＳブロックのＤＭＲＳ中でシグナリングされ得る。ＵＥはブラインド復号なしにＤＭＲＳ中のインデックスの部分を読み取り得るので、ＵＥは、ＰＢＣＨをスクランブル解除するための情報を決定するためにインデックスの部分を使用し得る。いくつかの事例では、基地局は、ＤＭＲＳ中のＳＳブロックインデックスの部分と、そのインデックスをもつＳＳブロックのＰＢＣＨをスクランブルするために使用される特定のシーケンスとの１対１のマッピングを使用し得る。したがって、ＵＥは、それがＤＭＲＳ中のインデックスの部分を読み取るときに使用される特定のシーケンスを知り、ＰＢＣＨをデスクランブルするためにインデックスのその部分を使用し得る。第１のスクランブリングコードに同様のスクランブリング設計を適用することなど、様々な態様が本開示の範囲中に含まれる。
【００２８】
[0037]添付の図面および付録に関して以下に記載される発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は、提示を明快にするためにブロック図の形式で示されることとが当業者には明らかであろう。
【００２９】
[0038]本開示は、一般に、利益の中でも、ＰＢＣＨ復号効率を改善するＰＢＣＨのためのスクランブリング設計に関する。様々な実施形態では、本技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、ならびに他の通信ネットワークなど、ワイヤレス通信ネットワークのために使用され得る。本明細書で説明される「ネットワーク」および「システム」という用語は互換的に使用され得る。
【００３０】
[0039]ＯＦＤＭＡネットワークは、発展型ＵＴＲＡ（Ｅ−ＵＴＲＡ：evolved UTRA）、ＩＥＥＥ８０２．１１、ＩＥＥＥ８０２．１６、ＩＥＥＥ８０２．２０、ｆｌａｓｈ−ＯＦＤＭなどの無線技術を実装し得る。ＵＴＲＡ、Ｅ−ＵＴＲＡ、およびモバイル通信用グローバルシステム（ＧＳＭ：Global System for Mobile Communications）は、ユニバーサルモバイルテレコミュニケーションシステム（ＵＭＴＳ：universal mobile telecommunication system）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２：3rd Generation Partnership Project 2）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ）モバイルフォン規格を改善することを目的とされた３ＧＰＰプロジェクトである。３ＧＰＰは、次世代のモバイルネットワーク、モバイルシステム、およびモバイルデバイスのための仕様を定義し得る。本開示は、新しいおよび異なる無線アクセス技術または無線エアインターフェースの集合を使用した、ネットワーク間のワイヤレススペクトルへの共有アクセスを伴う、ＬＴＥ、４Ｇ、５Ｇ、およびそれ以降からのワイヤレス技術の発展に関係する。
【００３１】
[0040]特に、５Ｇネットワークは、ＯＦＤＭベースの統合されたエアインターフェースを使用して実装され得る多様な展開、多様なスペクトル、ならびに多様なサービスおよびデバイスを企図する。これらの目標を達成するために、ＬＴＥおよびＬＴＥ−Ａのさらなる拡張が、新しい無線（ＮＲ）技術の開発に加えて考慮される。５Ｇ  ＮＲは、（１）超高密度（たとえば、約１００万個のノード／ｋｍ２）と、超低複雑度（たとえば、約数十ビット／秒）と、超低エネルギー（たとえば、約１０年以上のバッテリー寿命）と、困難なロケーションに達する能力をもつディープカバレージとをもつ大規模モノのインターネット（ＩｏＴ）へのカバレージを、（２）機密性の高い個人情報、金融情報、または機密情報を保護するための強いセキュリティと、超高信頼性（たとえば、約９９．９９９９％信頼性）と、超低レイテンシ（たとえば、約１ｍｓ）と、広い範囲のモビリティをもつかまたはそれがないユーザとを伴うミッションクリティカルな制御を含めて、（３）極度の高い容量（たとえば、約１０Ｔｂｐｓ／ｋｍ２）と、極度のデータレート（たとえば、マルチＧｂｐｓレート、１００Ｍｂｐｓ以上のユーザ経験レート）と、高度発見および最適化に対するディープアウェアネスとを含む拡張モバイルブロードバンドを伴って、提供するためにスケーリングが可能である。
【００３２】
[0041]５Ｇ  ＮＲは、スケーラブルなヌメロロジーおよび送信時間間隔（ＴＴＩ）を伴い、サービスおよび特徴を、動的低レイテンシ時分割複信（ＴＤＤ）／周波数分割複信（ＦＤＤ）設計と効率的に多重化するための共通のフレキシブルフレームワークを有し、大規模多入力多出力（ＭＩＭＯ）、ロバストミリメートル波（ｍｍＷａｖｅ）送信、高度チャネルコーディング、およびデバイス中心モビリティなど、高度ワイヤレス技術を伴う、最適化されたＯＦＤＭベース波形を使用するために実装され得る。サブキャリア間隔のスケーリングを伴う、５Ｇ  ＮＲにおけるヌメロロジーのスケーラビリティは、多様なスペクトルおよび多様な展開にわたる多様なサービスを動作させることに効率的に対処し得る。たとえば、３ＧＨｚ未満のＦＤＤ／ＴＤＤ実装の様々な屋外およびマクロカバレージ展開では、サブキャリア間隔は、たとえば１、５、１０、２０ＭＨｚなどの帯域幅上で１５ｋＨｚで起こり得る。３ＧＨｚよりも大きいＴＤＤの他の様々な屋外およびスモールセルカバレージ展開では、サブキャリア間隔は、たとえば、８０／１００ＭＨｚ帯域幅上で３０ｋＨｚで起こり得る。５ＧＨｚ帯域の無認可部分上でＴＤＤを使用する、他の様々な屋内広帯域実装では、サブキャリア間隔は、たとえば、１６０ＭＨｚ帯域幅上で６０ｋＨｚで起こり得る。最後に、２８ＧＨｚのＴＤＤにおいてｍｍＷａｖｅ成分を用いて送信する様々な展開では、サブキャリア間隔は、たとえば、５００ＭＨｚ帯域幅上で１２０ｋＨｚで起こり得る。異なる帯域幅上での異なるサブキャリア間隔の他の展開も、本開示の範囲内に入る。
【００３３】
[0042]５Ｇ  ＮＲのスケーラブルヌメロロジーは、多様なレイテンシおよびサービス品質（ＱｏＳ）要件のためのスケーラブルＴＴＩを容易にする。たとえば、より短いＴＴＩが低レイテンシおよび高信頼性のために使用され得、より長いＴＴＩがより高いスペクトル効率のために使用され得る。長いＴＴＩと短いＴＴＩとの効率的な多重化は、送信がシンボル境界上で開始することを可能にし得る。５Ｇ  ＮＲはまた、同じサブフレーム中でのアップリンク／ダウンリンクスケジューリング情報、データ、および肯定応答を伴う独立型統合サブフレーム（self-contained integrated subframe）設計を企図する。独立型統合サブフレームは、無認可または競合ベース共有スペクトル、現在のトラフィックニーズを満たすためにアップリンクとダウンリンクとの間で動的に切り替えるようにセルごとにフレキシブルに構成され得る適応アップリンク／ダウンリンクにおける通信をサポートする。
【００３４】
[0043]本開示の様々な他の態様および特徴が以下でさらに説明される。本明細書の教示は多種多様な形態で実施され得、本明細書で開示される特定の構造、機能、またはその両方は代表的なものにすぎず、限定するものではないことは明らかであろう。本明細書の教示に基づいて、本明細書で開示される態様は他の態様から独立して実装され得ること、およびこれらの態様のうちの２つまたはそれ以上は様々な方法で組み合わせられ得ることを、当業者は諒解されたい。たとえば、本明細書に記載される態様をいくつ使用しても、装置は実装され得、または方法は実施され得る。さらに、本明細書に記載される態様のうちの１つまたは複数に加えて、あるいはそれら以外の他の構造、機能、または構造および機能を使用して、そのような装置が実装され得、またはそのような方法が実施され得る。たとえば、方法は、システム、デバイス、装置の一部として実装され、および／あるいはプロセッサまたはコンピュータ上での実行のためにコンピュータ可読媒体に記憶された命令として実装され得る。さらに、１つの態様は、１つの請求項の少なくとも１つの要素を備え得る。
【００３５】
[0044]図１は、本開示の態様に従って構成された様々な基地局およびＵＥを含むネットワーク１００を示すブロック図である。ネットワーク１００は、いくつかの発展型ノードＢ（ｅＮＢ）１０５と他のネットワークエンティティとを含む５Ｇネットワーク１００を備え得る。ｅＮＢは、ＵＥと通信する局であり得、基地局、アクセスポイント、ｇＮＢなどと呼ばれることもある。各ｅＮＢ１０５は、特定の地理的エリアに通信カバレージを与え得る。３ＧＰＰでは、「セル」という用語は、その用語が使用されるコンテキストに応じて、ｅＮＢのこの特定の地理的カバレージエリアおよび／またはそのカバレージエリアをサービスするｅＮＢサブシステムを指すことがある。
【００３６】
[0045]ｅＮＢは、マクロセル、あるいはピコセルまたはフェムトセルなどのスモールセル、および／あるいは他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルなどのスモールセルは、概して、比較的小さい地理的エリアをカバーすることになり、ネットワークプロバイダのサービスに加入しているＵＥによる無制限アクセスを可能にし得る。フェムトセルなどのスモールセルは、概して、比較的小さい地理的エリア（たとえば、自宅）をもカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。図１に示されている例では、ｅＮＢ１０５ｄおよび１０５ｅは通常のマクロｅＮＢであるが、ｅＮＢ１０５ａ〜１０５ｃは、３次元（３Ｄ）ＭＩＭＯ、全次元（ＦＤ）ＭＩＭＯ、または大規模ＭＩＭＯのうちの１つが可能なマクロｅＮＢである。ｅＮＢ１０５ａ〜１０５ｃは、カバレージおよび容量を増加させるために仰角と方位角の両方のビームフォーミングにおける３Ｄビームフォーミングを活用するために、それらのより高い次元のＭＩＭＯ能力を利用する。ｅＮＢ１０５ｆは、ホームノードまたはポータブルアクセスポイントであり得る、スモールセルｅＮＢである。ｅＮＢは、１つまたは複数の（たとえば、２つ、３つ、４つなどの）セルをサポートし得る。
【００３７】
[0046]５Ｇネットワーク１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。
【００３８】
[0047]ＵＥ１１５はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５ａ〜１１５ｄは、５Ｇネットワーク１００にアクセスするモバイルスマートフォンタイプのデバイスの例である。ＵＥは、マシンタイプ通信（ＭＴＣ）、拡張ＭＴＣ（ｅＭＴＣ）、狭帯域ＩｏＴ（ＮＢ−ＩｏＴ）などを含む、接続された通信のために特別に構成されたマシンでもあり得る。ＵＥ１１５ｅ〜１１５ｋは、５Ｇネットワーク１００にアクセスする、通信のために構成された様々なマシンの例である。ＵＥは、マクロｅＮＢなのか、スモールセルなのかなどにかかわらず、任意のタイプのｅＮＢと通信することが可能であり得る。図１において、稲妻（たとえば、通信リンク）は、ダウンリンクおよび／またはアップリンク上での、ＵＥと、そのＵＥをサービスするように指定されたｅＮＢであるサービングｅＮＢとの間のワイヤレス送信、あるいはｅＮＢ間の所望の送信、およびｅＮＢ間のバックホール送信を示す。
【００３９】
[0048]図１に示されている通信リンクは、認可、無認可、または共有無線周波数（ＲＦ）スペクトルにおける通信リンクを含み得る。いくつかの事例では、共有スペクトル帯域は、軽度認可（lightly licensed）された、および／あるいは、異なる無線アクセス技術（ＲＡＴ）の通信の間の何らかのレベルの協調、または、たとえば、現行のＲＡＴなど、特定のＲＡＴの通信に与えられる何らかのレベルの選好があり得る、スペクトルを指すことがある。他の事例では、共有スペクトル帯域は、概して、異なるＲＡＴが同じＲＦスペクトル帯域内で共存または動作するスペクトルを指すことがあり、そのスペクトルは、軽度認可／協調スペクトル、または、代替的に、異なるＲＡＴが様々なチャネル競合技法を使用してチャネル媒体へのアクセスを求めて自由に競合し得る純粋に無認可のスペクトルを含み得る。本開示で説明される態様は、様々な共有または無認可スペクトルレジームに適用可能であり得る。したがって、共有スペクトルおよび無認可スペクトルという用語は、別段に記載されていない限り本明細書で互換的に使用される。
【００４０】
[0049]５Ｇネットワーク１００における動作中、ｅＮＢ１０５ａ〜１０５ｃは、３Ｄビームフォーミングと、多地点協調（ＣｏＭＰ）またはマルチ接続性など、協調空間技法とを使用して、ＵＥ１１５ａおよび１１５ｂをサービスする。マクロｅＮＢ１０５ｄは、ｅＮＢ１０５ａ〜１０５ｃ、ならびにスモールセル、ｅＮＢ１０５ｆとのバックホール通信を実施する。マクロｅＮＢ１０５ｄはまた、ＵＥ１１５ｃおよび１１５ｄにサブスクライブされ、ＵＥ１１５ｃおよび１１５ｄによって受信されるマルチキャストサービスを送信する。そのようなマルチキャストサービスは、モバイルテレビジョンまたはストリームビデオを含み得るか、あるいは、気象緊急事態、またはアンバーアラートもしくはグレーアラートなどのアラートなど、コミュニティ情報を提供するための他のサービスを含み得る。
【００４１】
[0050]５Ｇネットワーク１００は、図１に示されている例ではドローンであるＵＥ１１５ｅなど、ミッションクリティカルなデバイスのための超高信頼および冗長リンクを用いたミッションクリティカルな通信をもサポートする。ＵＥ１１５ｅとの冗長通信リンクは、マクロｅＮＢ１０５ｄおよび１０５ｅ、ならびにスモールセルｅＮＢ１０５ｆを含む。ＵＥ１１５ｆ（温度計）、ＵＥ１１５ｇ（スマートメーター）、およびＵＥ１１５ｈ（ウェアラブルデバイス）など、他のマシンタイプデバイスは、５Ｇネットワーク１００を通して、スモールセルｅＮＢ１０５ｆおよびマクロｅＮＢ１０５ｅなどの基地局と直接、または、ＵＥ１１５ｆがスマートメーターＵＥ１１５ｇに温度測定情報を通信し、それが、次いでスモールセルｅＮＢ１０５ｆを通してネットワークに報告されることなど、ネットワークにそれの情報を中継する別のユーザデバイスと通信することによるマルチホップ構成においてのいずれかで、通信し得る。５Ｇネットワーク１００はまた、マクロｅＮＢ１０５ｅと通信するＵＥ１１５ｉ〜１１５ｋの間の車両間（Ｖ２Ｖ）メッシュネットワークにおいてなど、動的低レイテンシＴＤＤ／ＦＤＤ通信を通して追加のネットワーク効率を提供し得る。
【００４２】
[0051]５Ｇネットワーク１００では、基地局１０５は、ＵＥ１１５がネットワークの同期情報を取得することを可能にするために、ＵＥ１１５にＳＳブロックの形態の同期信号を送信し得る。いくつかのあらかじめ定義されたリソースが特定の時間ウィンドウ内のＳＳブロック送信のために割り振られるが、基地局１０５は、それが特定の時間ウィンドウ（たとえば、ＤＭＴＣウィンドウ）内に送信し得るＳＳブロック送信の数において（たとえば、ワイヤレス規格によって規定されるように）制限され得る。しかしながら、ＳＳブロック送信は各々、複数の可能なＳＳブロックのうちのどの特定のＳＳブロック送信が現在ＵＥ１１５において受信されるかをＵＥ１１５に示すために、ＤＭＲＳ中に含まれているインデックス（たとえば、ＳＳブロックインデックス）を含み得る。
【００４３】
[0052]周囲の基地局１０５からの潜在的干渉により、基地局１０５は、ＳＳブロック送信のＰＢＣＨのペイロードをスクランブルし得る。しかしながら、ＰＢＣＨのいくつかのビットは、いくつかの実装形態によれば、スクランブルされないことがある。したがって、第２のスクランブリングコードが、他の基地局１０５からの干渉を解決するためにＰＢＣＨのすべてのコード化ビットに適用され得る。追加のスクランブリングに必要なブラインド復号を低減するために、基地局１０５は、ＳＳブロックグループ中の各ＳＳブロックについて異なるスクランブリングシーケンスを使用するが、特定のＳＳブロックのために使用されるスクランブリングシーケンスと、そのＳＳブロックのＤＭＲＳ中に含まれるＳＳブロックのインデックスの特定の数の最下位ビットとの１対１のマッピングを適用し得る。ＳＳブロックインデックスの最下位ビットの上記数は、２つのビット、３つのビット、または他の数のビットを備え得る。いくつかの事例では、ＤＭＲＳ中に含まれるＳＳブロックインデックスの最下位ビットの数は、ＤＭＴＣウィンドウ内に送信され得るＳＳブロックの最大数に、またはＳＳブロックが送信されるシステムによって使用されるサブキャリア間隔に基づき得る。説明の目的で、本開示は、ＤＭＲＳ中のＳＳブロックインデックスの３つの最下位ビットを含むことに言及する。したがって、ＵＥ１１５は、ＤＭＲＳからＳＳブロックインデックスの３つの最下位ビットを読み取り、受信されたＳＳブロックのＰＢＣＨをスクランブルするために使用される特定のシーケンスを決定し得る。ＵＥ１１５は、次いで、適用されたスクランブルされたコードからＰＢＣＨをデスクランブルするために、特定のシーケンスを使用し得る。いくつかの事例では、基地局１０５は、ＳＳブロックグループ内のＳＳブロックに異なるスクランブリングシーケンスを適用するが、別のＳＳブロックグループ中の対応するＳＳブロックに同じシーケンスを適用し得る。
【００４４】
[0053]図２は、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨ、ＥＰＤＣＣＨ、ＭＰＤＣＣＨなど、様々な制御チャネルについてのものであり得る。データは、ＰＤＳＣＨなどについてのものであり得る。送信プロセッサ２２０は、それぞれ、データシンボルおよび制御シンボルを取得するために、データと制御情報とを処理（たとえば、符号化およびシンボルマッピング）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実施し得、出力シンボルストリームを変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００４５】
[0054]ＵＥ１１５において、アンテナ２５２ａ〜２５２ｒは、ｅＮＢ１０５からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべての復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調、デインターリーブ、および復号）し、ＵＥ１１５についての復号されたデータをデータシンク２６０に与え、復号された制御情報をコントローラ／プロセッサ２８０に与え得る。
【００４６】
[0055]アップリンク上では、ＵＥ１１５において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合、ＴＸ  ＭＩＭＯプロセッサ２６６によってプリコーディングされ、さらに（たとえば、ＳＣ−ＦＤＭなどのために）変調器２５４ａ〜２５４ｒによって処理され、ｅＮＢ１０５に送信され得る。ｅＮＢ１０５において、ＵＥ１１５からのアップリンク信号は、アンテナ２３４によって受信され、復調器２３２によって処理され、適用可能な場合、ＭＩＭＯ検出器２３６によって検出され、ＵＥ１１５によって送られた復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。
【００４７】
[0056]コントローラ／プロセッサ２４０および２８０は、それぞれ、ｅＮＢ１０５およびＵＥ１１５における動作を指示し得る。ｅＮＢ１０５におけるコントローラ／プロセッサ２４０ならびに／または他のプロセッサおよびモジュールは、図６、図８、および図９に示されている機能ブロック、ならびに／または本明細書で説明される技法のための他の様々なプロセスを実施するか、またはその実行を指示し得る。ＵＥ１１５におけるコントローラ／プロセッサ２８０ならびに／または他のプロセッサおよびモジュールも、図１０に示されている機能ブロック、および／または本明細書で説明される技法のための他のプロセスを実施するか、またはその実行を指示し得る。メモリ２４２および２８２は、それぞれ、ｅＮＢ１０５およびＵＥ１１５のためのデータおよびプログラムコードを記憶し得る。たとえば、メモリ２４２は、図２に示されているプロセッサ２４０または他のプロセッサによって実施されるとき、基地局１０５に、図６、図８、および図９に関して説明される動作を実施させる命令を記憶し得る。同様に、メモリ２８２は、図２に示されているプロセッサ２８０または他のプロセッサによって実施されるとき、ＵＥ１１５に、図１０に関して説明される動作を実施させる命令を記憶し得る。スケジューラ２４４は、ダウンリンクおよび／またはアップリンク上でのデータ送信のためにＵＥをスケジュールし得る。
【００４８】
[0057]図２中のブロックは別個の構成要素として示されているが、それらのブロックに関して上記で説明された機能は、単一のハードウェア、ソフトウェア、または組合せ構成要素で、あるいは構成要素の様々な組合せで実装され得る。たとえば、送信プロセッサ２２０、受信プロセッサ２３８、またはＴＸ  ＭＩＭＯプロセッサ２３０に関して説明される機能は、プロセッサ２４０によって、またはプロセッサ２４０の制御下で実施され得る。
【００４９】
[0058]５Ｇネットワーク１００では、セル同期プロシージャは、基地局１０５が、ＵＥ１１５によるセル探索および同期を容易にするために同期信号（ＳＳ）ブロック中で信号のセットをブロードキャストすることを伴い得る。図３は、基地局１０５によってブロードキャストされるＳＳブロック３００の構造の一例を示す。ＳＳブロック３００の構成は、図３に示されているように、ＰＳＳ３１０と、ＳＳＳ３２０と、ＰＳＳ３１０とＳＳＳ３２０との間で多重化されたＰＢＣＨ３３０とを含む。ＰＢＣＨ３３０は、復調基準信号（ＤＭＲＳ）３４０など、基準信号を含み得る。したがって、基地局１０５によって送信された各ＳＳブロック３００は、ＵＥ１１５が、ＰＳＳ３１０に基づくシンボルタイミング、ＰＳＳ３１０およびＳＳＳ３２０に基づくセル識別情報、ならびにＰＢＣＨ３３０中で送られるマスタ情報ブロック（ＭＩＢ）に基づく初期セルアクセスのために必要とされる他のパラメータなど、システムタイミング情報を決定するのを助け得る。
【００５０】
[0059]いくつかの実装形態では、図３に見られるように、ＰＳＳ３１０およびＳＳＳ３２０は各々、時間領域中で１つのシンボルを占有し、ＰＢＣＨ３３０は、２つのシンボルを占有するが、２つの部分にスプリットされ、第１のハーフがＰＳＳ３１０とＳＳＳ３２０との間の１つのシンボル中にあり、第２のハーフがＳＳＳ３２０の後の第２のシンボル中にある。周波数領域では、ＰＳＳ３１０およびＳＳＳ３２０は各々、１２７個のリソース要素またはサブキャリアを占有し得、ＰＢＣＨ３３０は２８８個のリソース要素を占有し得る。ＳＳブロック３００の周波数ロケーションは、必ずしも周波数帯域の中心の６つのリソースブロック中にあるとは限らず、同期ラスタに応じて変動し得、チャネルラスタパラメータの関数であり得る。
【００５１】
[0060]基地局１０５は、ＵＥ１１５にシステムと同期するための機会を与えるためにＳＳブロック３００を周期的に送信し得る。しかしながら、５Ｇネットワークでは、基地局１０５は、たとえば、５ｍｓごとにＰＳＳおよびＳＳＳの１つのインスタンスのみを送信する代わりに、同期バースト中でＳＳブロックの複数のインスタンスを送信し得る。同期バースト中で、複数のＳＳブロック送信が５ｍｓ時間ウィンドウ内に送られ得る。複数のＳＳブロック送信は、異なるロケーション中のＵＥに対するカバレージ拡張および／または指向性ビームを可能にし得る。しかしながら、基地局１０５は、それが特定の時間フレーム内に送信することができるＳＳブロックの数およびＳＳブロックの対応するロケーションにおいて、あらかじめ定義されたルールによって限定され得る。その限定は、システムによって使用される特定のサブキャリア間隔とシステムが動作する周波数帯域とを含む、様々なファクタに基づき得る。測定ウィンドウ中で送信され得る最大数のＳＳブロックは、ＳＳバーストセットと呼ばれることがあり、ＳＳバーストセット内の各ＳＳブロックは、インデックスによって識別され得る。いくつかの実装形態では、ＳＳブロックインデックスの３つの最下位ビットはＤＭＲＳ中で搬送され、残りのビットはＰＢＣＨのペイロード中で搬送される。
【００５２】
[0061]図４は、様々なシステムパラメータに基づくＳＳブロック送信機会のパターンの例示的な構成４００を示す。図４に示されているように、ＳＳブロック送信機会の数と、基地局１０５が測定ウィンドウ（たとえば、５ｍｓウィンドウ）内に有するそれらの対応するロケーションとは、システムによって採用されるサブキャリア間隔と、システムが動作する周波数帯域とに依存し得る。ＵＥは、周期的に構成された発見基準信号（ＤＲＳ）測定タイミング構成（ＤＭＴＣ）期間ウィンドウに従ってセルＤＲＳを測定し得る。ＤＭＴＣは、サービングセルまたはネイバーセル、あるいは両方の測定のために構成され得る。さらに、ＤＭＴＣは、様々な例では、周波数固有であり得るか、または複数の周波数に適用可能であり得る。各構成におけるスロットの長さは、その構成において使用されるサブキャリア間隔に応じて変動し得る。構成４１０では、１２０ｋＨｚのサブキャリア間隔が６ＧＨｚ超周波数帯域（たとえば、６０ＧＨｚ周波数帯域）内で使用される。５ｍｓウィンドウ内に、この構成４１０における基地局１０５は、Ｌ＝６４個のＳＳブロック（すなわち、スロットごとに２つのＳＳブロック）を送信することを可能にされ得、それらのＳＳブロックは、ＳＳブロックのための割り振られたリソースの特定のパターンに従って送信されることを必要とされ得る。構成４２０では、２４０ｋＨｚのサブキャリア間隔が６ＧＨｚ超（たとえば、６０ＧＨｚ）の周波数帯域内で使用され、ＳＳブロック送信の最大数はＬ＝６４であり、それらのＳＳブロック送信は、ＳＳブロックのための割り振られたリソースの特定のパターンに従って送信されることを必要とされ得る。６４個のＳＳブロックはＳＳブロックバーストセットと呼ばれることがある。測定ウィンドウ内で可能にされるＳＳブロックのパターンおよび最大数は、他の構成では、使用されるサブキャリア間隔と、基地局１０５およびＵＥ１１５が動作する周波数帯域とに応じて変動し得る。図４はＳＳバーストセット中のＬ＝６４個のＳＳブロックの例を示すが、他の構成も使用され得る。たとえば、１５ｋＨｚまたは３０ｋＨｚのサブキャリア間隔の場合、ＳＳバーストセット中のＬ＝４またはＬ＝８個のＳＳブロックの構成も使用され得、本開示の範囲内に入る。
【００５３】
[0062]本明細書で説明されるように、ＳＳバーストセットが、いくつかの場合には、最高６４個のＳＳブロックを備え得る。いくつかの事例では、基地局１０５が、送信されたＳＳブロックの指示を容易にするためになど、様々な目的のために、ＳＳバーストセット中のＳＳブロックをＳＳブロックグループに分割し得る。図５は、本開示で説明される態様による、ＳＳブロックのグループの例示的なセット５００を示す。図５中の図示されたブロックは、ＳＳバーストセット内のＳＳブロックのグループの順序を表し、必ずしも、グループのために割り振られた物理リソースを表すとは限らない。６ＧＨｚ超周波数帯域において動作する基地局１０５は、それがバーストセット５１０内で送信し得る最大Ｌ＝６４個のＳＳブロックを有する。いくつかの事例では、基地局１０５は総最大ＳＳブロックをＮ個のグループに分割し得、各グループがＭ個のＳＳブロックを備える。図示の例は、バーストセット５１０中のＳＳブロックの、異なるＳＳブロックグループ５２０ａ〜ｈへの分割を示す。測定ウィンドウ５１０中のＳＳブロックの総数が６４個である場合、基地局１０５は６４個のＳＳブロックを８つのグループに分割し得、８つのグループの各々が８つのＳＳブロックをさらに備える。
【００５４】
[0063]いくつかの事例では、基地局１０５は、送信より前にＳＳブロックに対してスクランブリングプロセスを実施し得る。スクランブリングプロセスは、ＵＥ１１５が、ネイバリングセルから基地局１０５によって送られた潜在的干渉信号と区別されるものとして、対象とする信号を決定することを可能にし得る。図６は、基地局１０５がＳＳブロックのＰＢＣＨをスクランブルするために使用し得るスクランブリングプロセス６００の一例を示す。６０５において、基地局１０５は、ＰＢＣＨペイロードに第１のスクランブリングコードを適用し得る。いくつかの事例では、第１のスクランブリングコードの生成は、セル識別情報（セルＩＤ）と、システムフレーム番号（ＳＦＮ）の３つの最下位ビット、あるいはＳＦＮの第２または第３の最下位ビットなど、ＳＦＮの部分とを使用して初期化される。基地局１０５は、第１のスクランブリングコードをＰＢＣＨペイロードに適用し得るが、ＳＳブロックインデックス、１／２無線フレーム（存在する場合）、および第１のスクランブリングコードを初期化するために使用されるＳＦＮの部分など、ＰＢＣＨ中で搬送される他の情報には適用しないことがある。言い換えれば、ＳＳブロックインデックスおよび他の情報は、第１のスクランブリングコードに基づくスクランブリングから除外され得る。
【００５５】
[0064]６０５におけるスクランブリングの出力は、部分的にスクランブルされたＰＢＣＨペイロードである。６１０において、基地局１０５は、部分的にスクランブルされたＰＢＣＨペイロードに巡回冗長検査（ＣＲＣ）を適用し得る。６１５において、基地局１０５は、コード化ＰＢＣＨビットを取得するために、チャネルコーディングを適用し、レートマッチングを実施し得る。６２０において、基地局１０５は、コード化ＰＢＣＨビットに対して第２のスクランブリングコードを適用し得る。第２のスクランブリングコードは、ＰＢＣＨの部分が第１のスクランブリングコードによってスクランブルされなかったので、ＰＢＣＨにランダム化を導入するために適用され得る。ＰＢＣＨビットがスクランブルされた後に、基地局１０５は、６２５において変調を実施し、次いで、６３０において、変調されたシンボルをＰＢＣＨシンボル中のＰＢＣＨリソース要素上にマッピングし得る。
【００５６】
[0065]いくつかの事例では、基地局１０５は、第２のスクランブリングコードに基づいてＰＢＣＨをデスクランブルするときにブラインド復号がＵＥ１１５において回避され得るように、第２のスクランブリングコードを生成し得る。第２のスクランブリングシーケンスは、ＳＳバーストセット内のＳＳブロックについて同じであるかまたは異なり得る。基地局１０５は、ブロードキャストチャネル（ＢＣＨ）送信時間間隔（ＴＴＩ）内でＳＳバーストセットにわたって同等のシーケンスを使用し得る。
【００５７】
[0066]いくつかの実装形態では、第２のスクランブリングシーケンスは、ＳＳバーストセット内の異なるＳＳブロックについて異なり得る。基地局１０５は長さＭ＊Ｔの擬似雑音（ＰＮ）シーケンスを生成し得、ここで、Ｍは各ＳＳブロックグループ中のＳＳブロックの数であり、Ｔはコード化ＰＢＣＨビットの総数である。ＰＮシーケンスの生成器は、物理セルＩＤによって初期化される。いくつかの事例では、ＰＮシーケンスの生成器は、システムフレーム番号の部分を用いずに物理セルＩＤのみによって初期化される。基地局１０５は、次いで、ＰＮシーケンスをＭ個のＰＮサブシーケンスに区分し得、ここで、各サブシーケンスは、ｍ＝０、．．．、Ｍ−１のインデックスを有し、各サブシーケンスはＴの長さを有する。
【００５８】
[0067]基地局１０５は、サブシーケンスインデックスとＳＳブロックインデックスとの１対１のマッピングを使用し得る。たとえば、サブシーケンスの数Ｍは、ＳＳブロックグループ内のＳＳブロックの数Ｍと同じであり得る。したがって、グループ中のｍ番目のＳＳブロックが送信される場合、基地局１０５は、そのＳＳブロックのためのコード化ＰＢＣＨビットのための第２のスクランブリングコードとしてｍ番目のサブシーケンスを使用する。さらに、ＳＳブロックインデックスの３つの最下位ビットがＤＭＲＳ中で送信されるので、ＳＳブロックインデックスは、ＵＥ１１５が、ＤＭＲＳ中で見つけられるＳＳブロックインデックスビットを読み取ることに基づいて、どのサブシーケンスがＰＢＣＨコード化ビットのスクランブリングのために使用されるかを決定し得るように、ＵＥ１１５に示される。
【００５９】
[0068]一例では、ＳＳバーストセットは、グループごとにＭ＝８つのＳＳブロックの８つのグループに分割される、６４個のＳＳブロックを備え得る。グループごとに８つのＳＳブロックがあるので、基地局１０５は、長さＭ＊ＴのＰＮシーケンスを生成し、ＰＮシーケンスを、第２のスクランブリングコードを適用するために８つのサブシーケンスに区分する。すべての６４個のＳＳブロックのためのＳＳブロックインデックスが０から６３まで番号を付けられるが、各グループ内で、ＳＳブロックインデックスの３つの最下位ビットは、０００、００１、０１０、０１１、１００、１０１、１１０、および１１１である。ＳＳブロックのためのＳＳブロックインデックスの３つの最下位ビットは、そのＳＳブロックのＤＭＲＳ中で伝達される。したがって、基地局１０５は、グループ内の８つのＳＳブロックの各々のコード化ＰＢＣＨビットをスクランブルするために異なるサブシーケンスを使用する。０００に対応するＳＳブロックの場合、基地局１０５は、第２のスクランブリングコードとしてＳＳブロックインデックス０００のＰＢＣＨに適用するために、および同様にグループ中の残りの７つのＳＳブロックのために、同じ０００インデックスをもつサブシーケンスを使用する。ＤＭＲＳ中のＳＳブロックインデックスの３つの最下位ビットを読み取ることによって、ＵＥ１１５は、使用されるサブシーケンスを決定し、ブラインド復号なしにＰＢＣＨコード化ビットをデスクランブルし得る。
【００６０】
[0069]いくつかの事例では、基地局１０５は、異なるＳＳブロックグループにわたって、対応するＳＳブロックに同じサブシーケンスを適用し得る。たとえば、基地局１０５は、ＳＳブロックグループ１のｍ番目のＳＳブロックのＰＢＣＨに、ならびにＳＳバーストセット中の各残りのグループのｍ番目のＳＳブロックに、ｍ番目のサブシーケンスを適用し得る。
【００６１】
[0070]いくつかの実装形態では、基地局１０５は、ＳＳバーストセット内のＳＳブロックに異なるサブシーケンスを適用する代わりに、ＳＳバーストセット内のＳＳブロックに同じスクランブリングシーケンスを適用し得る。しかしながら、適用されるシーケンスは、ブロードキャストチャネル（ＢＣＨ）送信時間間隔（ＴＴＩ）（たとえば、８０ｍｓ）内でＳＳバーストセットにわたって同等であり得る。
【００６２】
[0071]図６の６０５に戻ると、基地局１０５は、第１のスクランブリングコードのために同様の技法を適用し得る。たとえば、基地局１０５は、ＳＳバーストセット内のＳＳブロックについて同じまたは異なるスクランブリングシーケンスを適用し得る。基地局１０５がＳＳバーストセット内のＳＳブロックに同じスクランブリングシーケンスを適用する場合、シーケンスの長さは、スクランブルされるべきＰＢＣＨペイロードビットの数に等しい。しかしながら、基地局１０５がＳＳバーストセット中の異なるＳＳブロックに異なるスクランブリングシーケンスを適用する場合、スクランブリングシーケンス長は、スクランブルされるべきＰＢＣＨペイロードビットの数を乗算された、グループごとのＳＳブロックの数Ｍに等しくなり得る。第２のスクランブリングコードのためのサブシーケンスの生成と同様に、基地局１０５は、スクランブリングシーケンスをＭ個のサブシーケンス（グループごとに同じ数Ｍ個のＳＳブロック）に区分し得る。基地局１０５は、サブシーケンスインデックスとＳＳブロックインデックスとの１対１のマッピングを使用し得る。たとえば、サブシーケンスの数Ｍは、ＳＳブロックグループ内のＳＳブロックの数Ｍと同じであり得る。したがって、グループ中のｍ番目のＳＳブロックが送信される場合、基地局１０５は、そのＳＳブロックのためのスクランブルされるべきＰＢＣＨペイロードビットのための第１のスクランブリングコードとしてｍ番目のサブシーケンスを使用する。さらに、ＳＳブロックインデックスの３つの最下位ビットがＤＭＲＳ中で送信されるので、ＳＳブロックインデックスは、ＵＥ１１５が、ＤＭＲＳ中で見つけられるＳＳブロックインデックスビットを読み取ることに基づいて、どのサブシーケンスがＰＢＣＨペイロードビットのスクランブリングのために使用されるかを決定し得るように、ＵＥ１１５に示される。第１のスクランブリングコードはセルＩＤならびにＳＦＮビットの部分の両方によって初期化されるので、使用される第１のスクランブリングコードは、同じＢＣＨ  ＴＴＩ（たとえば、８０ｍｓ）中で、ＳＳバーストセットごとに異なり得る。
【００６３】
[0072]図７は、本開示の態様による、ＰＢＣＨスクランブリング技法をサポートするシステムにおけるプロセスフロー７００の一例を示す。プロセスフロー７００は、図１〜図２を参照しながら説明された対応するデバイスの例であり得る、基地局１０５とＵＥ１１５とを含み得る。
【００６４】
[0073]７１０において、基地局１０５は、いくつかの事例ではＰＮシーケンスであり得るスクランブリングシーケンスを生成する。７２０において、基地局１０５は、スクランブリングシーケンスをサブシーケンスに区分する。上記で説明されたように、基地局１０５は、ＳＳブロックグループ中の各ＳＳブロックと、異なるサブシーケンスとの１対１のマッピングがあるように、シーケンスを、ＳＳブロックグループ中のＳＳブロックの数と同じ数のサブシーケンスに区分し得る。７３０において、基地局は、ＰＢＣＨをスクランブルするために、グループ中のそれらのそれぞれのＳＳブロックのＰＢＣＨにサブシーケンスを適用する。７４０において、基地局１０５は、ＳＳブロックのスクランブルされたＰＢＣＨをＵＥ１１５に送信する。基地局１０５は、ＳＳブロックのためのＤＭＲＳ中で、グループ中の各ＳＳブロックに関連するＳＳブロックインデックスをも送信し得る。７５０において、ＵＥは、ＤＭＲＳ中のＳＳブロックインデックス情報に基づいてスクランブリングサブシーケンスを決定する。７６０において、ＵＥは、決定されたスクランブリングサブシーケンスに基づいてＰＢＣＨをデスクランブルする。
【００６５】
[0074]図８は、本開示の様々な態様による、ＰＢＣＨスクランブリング技法のためのプロセス８００を示すフローチャートを示す。プロセス８００の動作は、図１および図２を参照しながら説明されたように、基地局などのデバイスまたはそれの構成要素によって実装され得る。たとえば、プロセス８００の動作は、本明細書で説明されるように、プロセッサ２４０によって、単独でまたは他の構成要素と組み合わせてのいずれかで、実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【００６６】
[0075]８０５において、基地局１０５は、同期信号（ＳＳ）バーストセットの各ＳＳブロックグループ中のＳＳブロックの数を決定する。８１０において、基地局１０５は、各ＳＳブロック中の物理ブロードキャストチャネル（ＰＢＣＨ）に関連するビットの数を決定する。８１５において、基地局は、ＳＳブロックの数とビットの数とに基づいてシーケンスを生成する。いくつかの事例では、動作８０５および８１０は随意であり得、基地局は、８１５において、ＰＢＣＨをスクランブルする際に使用するためのシーケンスを生成し得る。８２０において、基地局１０５は、ＳＳブロックの数に基づいてシーケンスをサブシーケンスに区分する。８２５において、基地局１０５は、ＳＳブロックグループ内の異なるＳＳブロックのＰＢＣＨに関連するビットのためのスクランブリングコードとしてシーケンスの各サブシーケンスを適用する。８３０において、基地局１０５は、シーケンスのサブシーケンスを用いてスクランブルされた少なくとも１つのＳＳブロックをもつＳＳバーストセットを送信する。
【００６７】
[0076]図９は、本開示の様々な態様による、ＰＢＣＨスクランブリング技法のためのプロセス９００を示すフローチャートを示す。プロセス９００の動作は、図１および図２を参照しながら説明されたように、基地局などのデバイスまたはそれの構成要素によって実装され得る。たとえば、プロセス９００の動作は、本明細書で説明されるように、プロセッサ２４０によって、単独でまたは他の構成要素と組み合わせてのいずれかで、実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【００６８】
[0077]９０５において、基地局１０５は、物理ブロードキャストチャネル（ＰＢＣＨ）に関連するビットの数に基づく長さをもつシーケンスを生成する。９１０において、基地局１０５は、同期信号（ＳＳ）バーストセット内の各ＳＳブロックのＰＢＣＨにそのシーケンスをスクランブリングコードとして適用する。９１５において、基地局１０５は、シーケンスを用いてスクランブルされた少なくとも１つのＳＳブロックをもつＳＳバーストセットを送信する。
【００６９】
[0078]図１０は、本開示の様々な態様による、圧縮ＳＳブロック指示技法のためのプロセス１０００を示すフローチャートを示す。プロセス１０００の動作は、図１および図２を参照しながら説明されたように、ＵＥ１１５などのデバイスまたはそれの構成要素によって実装され得る。たとえば、プロセス１０００の動作は、本明細書で説明されるように、プロセッサ２８０によって、単独でまたは他の構成要素と組み合わせてのいずれかで、実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【００７０】
[0079]１００５において、ＵＥ１１５は、同期信号（ＳＳ）ブロックに関連する復調基準信号（ＤＭＲＳ）を受信する。１０１０において、ＵＥ１１５は、ＤＭＲＳからＳＳブロックのインデックスの部分を識別する。１０１５において、ＵＥ１１５は、インデックスの部分に基づいて、ＳＳブロックをスクランブルするために使用されるシーケンスを決定する。１０２０において、ＵＥ１１５は、シーケンスに基づいてＳＳブロックの物理ブロードキャストチャネル（ＰＢＣＨ）を復号する。
【００７１】
[0080]図１１は、本開示の様々な態様による、ＰＢＣＨスクランブリング技法のためのプロセス１１００を示すフローチャートを示す。プロセス１１００の動作は、図１および図２を参照しながら説明されたように、基地局などのデバイスまたはそれの構成要素によって実装され得る。たとえば、プロセス１１００の動作は、本明細書で説明されるように、プロセッサ２４０によって、単独でまたは他の構成要素と組み合わせてのいずれかで、実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【００７２】
[0081]１１０５において、基地局１０５は、ＰＢＣＨをスクランブルする際に使用するためのシーケンスを生成する。１１１０において、基地局１０５は、ＳＳブロックグループ中のＳＳブロックの数に基づいてシーケンスをサブシーケンスに区分する。１１１５において、基地局１０５は、ＳＳブロックグループ内の異なるＳＳブロックのＰＢＣＨに関連するビットのためのスクランブリングコードとしてシーケンスの各サブシーケンスを適用する。１１２０において、基地局１０５は、サブシーケンスのうちの１つを用いてスクランブルされた少なくとも１つのＳＳブロックを送信する。
【００７３】
[0082]情報および信号は、様々な異なる技術および技法のいずれかを使用して表され得ることを、当業者は理解するであろう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７４】
[0083]図２中の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７５】
[0084]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能がハードウェアとして実装されるのかソフトウェアとして実装されるのかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示され、説明されたもの以外の方法で組み合わせられるかまたは実施され得ることを容易に認識されよう。
【００７６】
[0085]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサは、マイクロプロセッサであり得るが、代替として、プロセッサは、任意の従来のプロセッサ、コントローラ、マイクロコントローラ、または状態マシンであり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【００７７】
[0086]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７８】
[0087]１つまたは複数の例示的な設計では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００７９】
[0088]特許請求の範囲を含めて、本明細書で使用される場合、「および／または」という用語は、２つ以上の項目の列挙中で使用されるとき、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組合せにおけるこれらのいずれかを意味するような選言的列挙を示す。
【００８０】
[0089]本開示の以上の説明は、当業者が本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2020533885.tif 000003
【図２】
2020533885.tif 000004
【図３】
2020533885.tif 000005
【図４】
2020533885.tif 000006
【図５】
2020533885.tif 000007
【図６】
2020533885.tif 000008
【図７】
2020533885.tif 000009
【図８】
2020533885.tif 000010
【図９】
2020533885.tif 000011
【図１０】
2020533885.tif 000012
【図１１】
2020533885.tif 000013
【国際調査報告】
2020533885.tif 000014
2020533885.tif 000015
2020533885.tif 000016
2020533885.tif 000017